(57)【要約】  【課題】  各局ごとに使用するストリームを選択するだけで、共通使用するデータと自局のみ使用するデータが順番に流れるストリームを生成できる放送局間データ伝送装置を提供する。  【解決手段】  コンテンツストリーム送出装置１とメタデータストリーム送出装置２は全体として共通利用するデータのストリームと個々の放送局が選択して利用するデータのストリームとを別々のＰＩＤで、かつ、時間的に排他的に出力し、多重化装置３はコンテンツストリーム送出装置１とメタデータストリーム送出装置２の出力ストリームを多重化し、ＰＩＤ選択付替え装置４は多重化したデータのストリームから、共通利用するデータのストリームのＰＩＤを１つと個々の放送局が選択して利用するデータのストリームのＰＩＤを１つ選択し、選択されたＰＩＤを１つのＰＩＤに付け替え、選択されなかったＰＩＤのストリームを削除する。【選択図】  図１
2006304071.tif 000002
【特許請求の範囲】
【請求項１】
共通利用するデータのストリームおよび個々の放送局が選択して利用するデータのストリームを別々のＰＩＤで、かつ、時間的に排他的に出力する単一又は複数のストリーム送出装置と、
前記ストリーム送出装置から出力された前記全てのデータのストリームを入力して多重化する多重化装置と、
前記多重化装置が多重化したデータのストリームから、前記共通利用するデータのストリームのＰＩＤを１つと、個々の放送局が選択して利用するデータのストリームのＰＩＤを１つ選択し、前記選択されたＰＩＤを同じ１つのＰＩＤに付け替え、前記選択されなかったＰＩＤのストリームを削除するＰＩＤ選択付替え装置と
を備えた放送局間データ伝送装置。
【請求項２】
前記ストリームのデータ形式は、データカルーセル方式である請求項１に記載の放送局間データ伝送装置。
【請求項３】
共通利用する前記データのストリームは、コンテンツのストリームであり、
個々の放送局が選択して利用するデータのストリームは、メタデータのストリームである請求項１又は２に記載の放送局間データ伝送装置。
【請求項４】
前記単一又は複数のストリーム送出装置は、前記個々の放送局が選択して利用するストリームのＰＩＤを２つ以上選択するとともに、それらのストリームは、別々のＰＩＤで、かつ、時間的に排他で、前記多重化装置へ出力する請求項１ないし３のいずれか１項に記載の放送局間データ伝送装置。
【発明の詳細な説明】
【技術分野】
【０００１】
本発明は、デジタル放送分野における放送局間での放送データの伝送を行なう放送局間データ伝送装置に関するものである。
【背景技術】
【０００２】
２００６年から２００７年に向けて、サーバー型放送の開始が予定されている。このサーバー型放送では、放送波やインターネットを通じコンテンツやメタデータを配信する。ここで、メタデータ（meta data）とは、コンテンツの内容紹介や放送時刻などコンテンツに関する情報のことである。
【０００３】
ところで、サーバー型放送において、放送波でコンテンツのファイルやメタデータを伝送する方法として、トランスポートストリーム上で、現在デジタル放送で行われているデータ放送と同じデータカルーセルで伝送する方式が予定されているが、コンテンツのカルーセルとメタデータのカルーセルは同じＰＩＤ（Packet Identifier；パケット識別子）のストリームで、時間を分けて伝送する方式が提案されている。ここで、トランスポートストリーム（Transport Stream）とは、デジタル放送で標準的に使用されている伝送形式のことであり、ＴＳパケット（Transport Stream Packet）が連続的に送られる形式である。カルーセル（Carousel）とは、データが繰り返し送出される放送形態のことである。
このように、トランスポートストリームでは、ＴＳパケットに識別子ＰＩＤが振られており、同じＰＩＤの集合を一つのストリームとして扱う。したがって、トランスポートストリームでは、複数のストリームを多重化することが可能である。
【０００４】
一方、地上デジタル放送でサーバー型放送を行う場合、キー局が作ったコンテンツやメタデータはトランスポートストリームで地方局に伝送され、その地方局から放送される。このとき、コンテンツの内容はそのままでよいが、放送チャンネルや時刻の情報を保持するメタデータは、実際に放送波を出す局ごとに内容を変更しなくてはならない。このような場合、従来の方式としては、２つの解決方法がある。
第１の方法は、現在地上波デジタル放送のデータ放送で行われているように、実際に放送波を出す局でカルーセルの内容を入れ替える方法である（例えば、特許文献１参照）。
第２の方法は、キー局で全地方局のメタデータを作成し、地方局ごとに別々のＰＩＤで、最終的に放送するストリームと同様な、コンテンツのカルーセルとメタデータのカルーセルが時間的に分かれて伝送するストリームを作成し、トランスポートストリームで地方局に伝送し、地方局では自局向けのＰＩＤのストリームのみフィルタリングし、ＰＩＤを付け直した上で放送する方法である。
【特許文献１】特開２００４−８８４９２号公報
【発明の開示】
【発明が解決しようとする課題】
【０００５】
しかしながら、第１の方法では、メタデータを作る装置と、カルーセルの内容を入れ替える装置が各地方局に必要となるという問題があった。また、第２の方法では、地方局にはストリームをカルーセルの内容を入れ替える特別な装置は不要であり、通常使用されている多重化装置のみ使用すればよい。しかし、この場合、メタデータに比べ容量が大きなコンテンツも各地方局ごとに別々のＰＩＤのストリームで送る必要があり、ストリーム送出装置および局間伝送路の負荷が高くなってしまう、という問題があった。
【０００６】
本発明は、上記した従来の問題を解決するためになされたもので、ストリームの構成を効率よくすることで、地上デジタル放送の全国放送において、安価にサーバー型放送向けのメタデータとコンテンツを伝送できる放送局間データ伝送装置を提供することを目的とする。
【課題を解決するための手段】
【０００７】
本発明の放送局間データ伝送装置は、共通利用するデータのストリームおよび個々の放送局が選択して利用するデータのストリームを別々のＰＩＤで、かつ、時間的に排他的に出力する単一又は複数のストリーム送出装置と、前記ストリーム送出装置から出力された前記全てのデータのストリームを入力して多重化する多重化装置と、前記多重化装置が多重化したデータのストリームから、前記共通利用するデータのストリームのＰＩＤを１つと、個々の放送局が選択して利用するデータのストリームのＰＩＤを１つ選択し、前記選択されたＰＩＤを同じ１つのＰＩＤに付け替え、前記選択されなかったＰＩＤのストリームを削除するＰＩＤ選択付替え装置とを備えた構成を有している。この構成により、複数の局で共通して使用するデータのストリームと、複数の局ごとにばらばらに使用するデータのストリームを一箇所で生成し、各局ごとに使用するストリームを選択するだけで、共通して使用するデータと自局のみで使用するデータが順番に流れるストリームを生成できる。
【０００８】
また、本発明の放送局間データ伝送装置は、前記ストリームのデータ形式が、データカルーセル方式である。この構成により、デジタル放送のデータ放送のデータを伝送することが可能となる。
【０００９】
さらに、本発明の放送局間データ伝送装置は、共通利用する前記データのストリームが、コンテンツのストリームであり、個々の放送局が選択して利用するデータのストリームは、メタデータのストリームである。この構成により、サーバー型放送のコンテンツとメタデータを伝送することが可能となる。
【００１０】
さらに、本発明の放送局間データ伝送装置は、前記単一又は複数のストリーム送出装置が、前記個々の放送局が選択して利用するストリームのＰＩＤを２つ以上選択するとともに、それらのストリームは、別々のＰＩＤで、かつ、時間的に排他で、前記多重化装置へ出力する構成を有している。この構成により、各局のストリームを２つ以上選択することが可能となり、例えば、全国で使用するデータ、関西地方で使用するデータ、県内で使用するデータなど３段階以上の階層を持ったデータを伝送することができる。
【発明の効果】
【００１１】
本発明によれば、複数の局で共通して使用するデータのストリームと、複数の局ごとにばらばらに使用するデータのストリームを一箇所で生成し、各局ごとに使用するストリームを選択するだけで、共通して使用するデータと自局のみで使用するデータが順番に流れるストリームを生成するという効果を有する放送局間データ伝送装置を提供できる。
【発明を実施するための最良の形態】
【００１２】
以下、本発明の実施形態に係る放送局間データ伝送装置について、添付図面を用いて説明する。
図１は、本発明の実施形態に係る放送局間データ伝送装置を示すものであり、この放送局間データ伝送装置は、コンテンツストリーム送出装置１と、メタデータストリーム送出装置２と、多重化装置３と、ＰＩＤ選択付替え装置４とを備えている。
【００１３】
このうち、コンテンツストリーム送出装置１は、サーバー型放送のコンテンツをデータカルーセル形式で伝送するトランスポートストリームを、多重化装置３へ送出するものであり、出力が多重化装置３の入力に接続されている。本実施形態のコンテンツストリーム送出装置１は、例えばＰＩＤが１００の全国放送用のコンテンツのストリームとＰＩＤが２０１から２０２の地方放送用（例えば、関東および関西地方用）のコンテンツのストリームを送出する。
【００１４】
一方、メタデータストリーム送出装置２は、サーバー型放送のメタデータをデータカルーセル形式で伝送するトランスポートストリームを、多重化装置３へ送出するものであり、出力が多重化装置３の入力に接続されている。本実施形態のメタデータストリーム送出装置２は、ＰＩＤが３０１から３０４の各局用のメタデータのストリームを送出する。
この時、コンテンツストリーム送出装置１とメタデータストリーム送出装置２は、全国放送用のコンテンツストリーム、各地方用のコンテンツストリーム、各局用のメタデータストリームが、時間的に重ならないように、ストリームを送出する。なお、各地方用のコンテンツストリーム同士では、ストリームが時間的に重なっていてもよいし、各局用のメタデータストリーム同士では時間的に重なっていてもよい。
【００１５】
一方、多重化装置３は、コンテンツストリーム送出装置１からの出力とメタデータストリーム送出装置２からの出力を多重化し、一つのトランスポートストリームを出力するものであり、出力がＰＩＤ選択付替え装置４の入力に接続されている。
【００１６】
ＰＩＤ選択付替え装置４は、多重化装置３から出力のトランスポートストリームから、選択された複数のＰＩＤのＴＳパケット以外のＴＳパケットは削除し、選択された前記複数のＰＩＤのＴＳパケットは同じ一つのＰＩＤのＴＳパケットにＰＩＤを付け替え出力する。
【００１７】
なお、コンテンツストリーム送出装置１とメタデータストリーム送出装置２と多重化装置３はキー局に設置され、ＰＩＤ選択付替え装置４は各局（地方局、例えば図１では奈良局）に設置される。
【００１８】
次に、本実施形態に係る放送局間データ伝送装置によるデータの伝送パターンについて、図２を参照しながら説明する。なお、同図は、キー局の多重化装置３から出力されたトランスポートストリームにおける、コンテンツおよびメタデータのストリームと、各局（図２では奈良局）のＰＩＤ選択付替え装置４が出力するトランスポートストリームにおけるコンテンツおよびメタデータのストリームの存在パターンについて、縦軸をＰＩＤ、横軸を時間で表現している。
【００１９】
ラインＬ１はコンテンツストリーム送出装置１からＰＩＤ１００の全国放送用のコンテンツのストリームが出力された時区間を表し、ラインＬ２はコンテンツストリーム送出装置２からＰＩＤ２０２の関西地方用のコンテンツのストリームが出力された時区間を表し、ラインＬ３はメタデータストリーム送出装置２からＰＩＤ３０４の奈良局用のメタデータのストリームが出力された時区間を表す。図２で示すように、全国放送用のコンテンツストリーム、各地方用のコンテンツストリーム（ＰＩＤ２０１、ＰＩＤ２０２）、メタデータストリーム（ＰＩＤ３０１〜ＰＩＤ３０４）は、お互いに時間的な重なりがない。
【００２０】
従って、地方局、例えば奈良の放送局では、奈良に設けたＰＩＤ選択付替え装置４により、以下のようなＰＩＤの選択付替え処理が行なわれる。即ち、奈良の放送局のＰＩＤ選択付替え装置４では、図２に示すように、奈良を含む全国用の（共通利用する）コンテンツストリームであるＰＩＤが１００のＴＳパケットと、奈良が含まれた関西用のコンテンツストリームであるＰＩＤが２０２のＴＳパケットと、奈良専用の（個々の放送局が選択して利用する）メタデータストリームであるＰＩＤが３０４のＴＳパケットのＰＩＤを、全て、ＰＩＤが４００のＴＳパケットに付け替え、それ以外のＰＩＤのＴＳパケットは削除するよう設定されている。このように、ラインＬ１と、ラインＬ２と、ラインＬ３は、時間軸方向で重なりがないため、上記のような設定をすることにより、ラインＬ４で表される、コンテンツとメタデータが同じＰＩＤで時間的に排他なストリームを生成することが可能となる。
【００２１】
なお、本発明は上述した実施形態に何ら限定されるものではなく、その要旨を逸脱しない範囲において種々の形態で実施し得るものである。
【産業上の利用可能性】
【００２２】
本発明の放送局間データ伝送装置は、複数の局で共通して使用するデータのストリームと、複数の局ごとにばらばらに使用するデータのストリームを１箇所で生成し、各局ごとに使用するストリームを選択するだけで、共通して使用するデータと自局のみで使用するデータが順番に流れるストリームを生成することができるという効果を有し、デジタル放送分野における、放送局間での放送データの伝送システム等として有用である。
【図面の簡単な説明】
【００２３】
【図１】本発明の実施形態における放送局間データ伝送装置のブロック図
【図２】本発明の実施形態におけるデータの伝送パターンの説明のための図
【符号の説明】
【００２４】
１、２、３、２１  通信端末装置
１  コンテンツストリーム送出装置
２  メタデータストリーム送出装置
３  多重化装置
４  ＰＩＤ選択付け替え装置
Ｌ１  全国放送用のコンテンツのストリームが送出される時区間
Ｌ２  関西地方用のコンテンツのストリームが送出される時区間
Ｌ３  奈良県用のメタデータのストリームが送出される時区間
Ｌ４  奈良局で放送されるコンテンツとメタデータが時分割されたストリーム
【図１】
2006304071.tif 000003
【図２】
2006304071.tif 000004